Podtech/llm-jp-corpus-v4-ja_patent huggingface dataset:
(57)【要約】【課題】背面に表示層を設けた導光板における光の取り出し効率を向上させる。【解決手段】発光ダイオードなどの光源１からの光を側面より導入して前面に光を放出する導光板２であって、導光板２の背面に多数の凹部３…が形成されるとともに表示層４（文字・図形など）が印刷されている導光板２である。表示層４は凹部３…に入り込んで導光板２の背面に付着するため、光源１からの光が表示層４の凸部…（凹部３…に入り込んだ部分）にて乱反射しやすくなって、前方への光取り出し効率を向上でき、表示が鮮やかになる。【選択図】　図４
2004109365.tif 000002
【特許請求の範囲】
【請求項１】
側面より光を導入して前面に光を放出する導光板であって、導光板の背面に多数の凹部が形成されるとともに表示層が印刷されている導光板。
【請求項２】
側面より光を導入して前面に光を放出する導光板であって、導光板の背面は光源から遠ざかるほど前面に近接するとともに、導光板の背面には表示層が印刷されている導光板。
【請求項３】
請求項１または２において、表示層には蛍光体または蓄光材が混入された導光板。
【発明の詳細な説明】
【０００１】
【発明の属する技術分野】
本発明は、前面より鮮やかに文字・図形などの表示が視認できる導光板に関する。
【０００２】
【従来の技術】
側面より光を導入して前面に光を放出する導光板であって、導光板の背面に表示層が印刷されている導光板としては、特許文献１が知られている。
【０００３】
【特許文献１】
特開２００１−１００６８０号公報
【０００４】
【発明が解決しようとする課題】
しかし、前記特許文献１では光の取り出し効率が悪く、思うほど光量が出ないという解決すべき課題があることに着目されるべきである。本発明はこのような解決すべき課題を鑑み、背面に表示層を設けた導光板における光の取り出し効率を向上させるものである。
【０００５】
【課題を解決するための手段】
本発明を要約すると、側面より光を導入して前面に光を放出する導光板であって、導光板の背面に多数の凹部が形成されるとともに表示層が印刷されている導光板である。また、他の本発明としては、側面より光を導入して前面に光を放出する導光板であって、導光板の背面は光源から遠ざかるほど前面に近接するとともに、導光板の背面には表示層が印刷されている導光板がある。そして、表示層には蛍光体または蓄光材が混入されてもよい。
【０００６】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００７】
まず、図１〜４の実施形態は、発光ダイオードなどの光源１からの光を側面より導入して前面に光を放出する導光板２であって、導光板２の背面に多数の凹部３…が形成されるとともに表示層４（文字・図形など）が印刷されている導光板２である。なお、５は、導光板２の他側面に設けた光反射面であるが、必須のものではない。
【０００８】
さらに詳述すれば、導光板２はアクリルなどの透明樹脂で構成される。表示層４を導光板２の背面に付着印刷するには、例えば、所定の文字・図形などをあらかじめ形成した印刷インク６ａを付着させた熱転写フイルム６（図１参照）を導光板２の背面に熱転写するとよい。また、いわゆるシルクスクリーン印刷により導光板２の背面に所定の文字・図形などの表示層４を付着させてもよい。いずれにしても表示層４は凹部３…に入り込んで導光板２の背面に付着するため、光源１からの光が表示層４の凸部…（凹部３…に入り込んだ部分）にて乱反射しやすくなって、前方への光取り出し効率を向上でき、表示が鮮やかになる。
【０００９】
次に図５は、導光板２の背面を光源１から遠ざかるほど前面に近接する（角度θで傾斜）とともに、導光板２の背面には表示層４が印刷されている。このようにしても、前方への光取り出し効率を向上できた。なお、この場合には凹部３は必ずしも必要ではないが、あればより好ましい。
【００１０】
また、表示層４に蛍光体が混入されていると、光源１からの光により表示がより鮮やかに光り、また、蓄光材が混入していると、光源１の消灯後も一定時間に渡って表示が持続する。
【図面の簡単な説明】
【図１】本発明の実施形態を示す製造過程での斜視図
【図２】同製造完了後の斜視図
【図３】同断面図
【図４】同部分拡大断面図
【図５】本発明の他の実施形態を示す断面図
【符号の説明】
２　導光板
３　凹部
４　表示層
【図１】
2004109365.tif 000003
【図２】
2004109365.tif 000004
【図３】
2004109365.tif 000005
【図４】
2004109365.tif 000006
【図５】
2004109365.tif 000007
(57)【要約】【課題】蛍光層の発光量を向上させる。【解決手段】側面より発光ダイオードなどの光源１からの光を導入して前面に光を放出する導光板２であって、導光板２の背面に多数の凸部３（または凹部）が形成されるとともに、蛍光層４及び反射層５が付着されている導光板２である。また、導光板２の前面に微細な凹筋６を多数平行に形成している。また、蛍光層４の代わりに蓄光層を付着してもよい。【選択図】　図２
2004109366.tif 000002
【特許請求の範囲】
【請求項１】
側面より光を導入して前面に光を放出する導光板であって、導光板の背面に多数の凸部または凹部が形成されるとともに、蛍光層及び反射層が付着されている導光板。
【請求項２】
側面より光を導入して前面に光を放出する導光板であって、導光板の背面に多数の凸部または凹部が形成されるとともに、蓄光層及び反射層が付着されている導光板。
【請求項３】
請求項１または２において、導光板の前面に微細な凹筋を多数平行に形成した導光板。
【発明の詳細な説明】
【０００１】
【発明の属する技術分野】
本発明は、液晶表示板などのバックライトとして好適な導光板に関する。
【０００２】
【従来の技術】
側面より光を導入して前面に光を放出する導光板であって、導光板の背面に蛍光層が付着されている導光板としては、特許文献１が知られている。
【０００３】
【特許文献１】
特開平７−２８１０３２号公報
【０００４】
【発明が解決しようとする課題】
しかし、前記特許文献１では、導光板の背面が平滑なために光源の光が蛍光層に達しにくくなり、蛍光層の発光量が低下し、思うほど光量が出ないという解決すべき課題があることに着目されるべきである。本発明はこのような解決すべき課題を鑑み、蛍光層の発光量を向上させるものである。
【０００５】
【課題を解決するための手段】
本発明を要約すると、側面より光を導入して前面に光を放出する導光板であって、導光板の背面に多数の凸部または凹部が形成されるとともに、蛍光層及び反射層が付着されている導光板である。また、側面より光を導入して前面に光を放出する導光板であって、導光板の背面に多数の凸部または凹部が形成されるとともに、蓄光層及び反射層が付着されている導光板でもよい。また、導光板の前面に微細な凹筋を多数平行に形成してもよい。
【０００６】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００７】
図示の実施形態は、側面より発光ダイオードなどの光源１からの光を導入して前面に光を放出する導光板２であって、導光板２の背面に多数の凸部３（または凹部）が形成されるとともに、蛍光層４及び反射層５が付着されている導光板２である。また、導光板２の前面に微細な凹筋６を多数平行に形成している。
【０００８】
さらに詳述すれば、導光板２はアクリルなどの透明樹脂で構成される。光源１からの光が導光板２内に導入されると、多数の凸部３を通じて蛍光層４に光が入りやすくなり、蛍光層４の発光量が向上して、表示が鮮やかになる。また、凹筋６は導光板２の前面光のむらを少なくする。なお、光源１の光がなくても、蛍光層４は自然光によって発光する。
【０００９】
また、蛍光層４の代わりに蓄光層を付着してもよい。この場合は、光源１の消灯後も一定時間に渡って発光が持続するが、その光量増大に寄与する。
【図面の簡単な説明】
【図１】本発明の実施形態を示す斜視図
【図２】同部分断面図
【符号の説明】
２　導光板
３　凸部（または凹部）
４　蛍光層（または蓄光層）
５　反射層
【図１】
2004109366.tif 000003
【図２】
2004109366.tif 000004
(57)【要約】【目的】反射型スクリーン上に投射される画像上にレーザポインタで指示する際、この指示点が適宜時間残光発光することで、より明瞭になる。またこの指示によっては適宜簡単な図形を生成でき、プレゼンテーションの質を格段に向上させ得る。【構成】本発明はレーザポインタから投射される波長約４００ナノメートル以下のレーザ光とこれにより励起発光する材料物質を反射型スクリーン表面上に配設することで構成し、両者の相互作用により指示点が適宜時間残光発光することにより指示点の強調やその動軌跡により簡単な図形を得る。【特許請求の範囲】
【請求項１】
光学的ポインタにレーザ光投射装置を設け、この光に感応して蛍光もしくは燐光等残光を発する材料物質をその表面に塗布、印刷等で配設された反射型スクリーンよりなる投射画像用ポインタシステム。
【請求項２】
該レーザ光の強度を必要に応じて調節することにより該残光の時間や強度を変化調節可能とする。
【請求項３】
該ポインタ内に必要に応じて作動可能な視認用参考可視光投射装置を併設する
【発明の詳細な説明】
【０００１】
【産業上の利用分野】
本発明は、プロジェクタで投影された反射型スクリーン上の画像に光学的ポインタで指示するような画像投影システム分野に有用である。
【０００２】
【従来の技術】
従来、上記の投影画像に指示されたポインタの光点は残光することなく、指示点は指示の瞬間のみに限定されていた。また、光点相当の位置を別に設けられた認識装置で認識させ該画像投影装置あるいは別途設けた投影装置で該スクリーンに別途投影し残光標示させていた。
【０００３】
【発明が解決しようとする課題】
従来のポインタの光点は上記のように残光が無いので光点を見失いやすく特に素早く移動される時はレーザ光のちらつきの影響もあり見にくかった。また、通常ポインタで投影画像上に重ねて指示図形を描くことはできず特に望む場合は前項で記したような別途のシステム装置を必要とした。
【０００４】
【課題を解決するための手段】
本発明は、ポインタからレーザ光を投射し、予めこれに対応する反射型スクリーンに設けられたこのレーザ光に感応して物理的励起等で発光する材料物質の残光効果により前記の課題を簡易に解決しようとするものである。実用的には約４００ナノメートル以下の波長の青紫色から紫外線領域の光を発するレーザとこれに効率よく反応して蛍光または燐光を発する材料物質の組み合わせより選定する。選定条件は発光強度や残光時間あるいは発光色等である。また、一般的にこの領域のレーザ光は視認しにくく参考用の光として従来の赤色等レーザ光を同ポインタであわせて投射指示すると便利である。また、この残光の強さや時間等の機能や特性は該残光発光用レーザの発光強度や時間を調節することにより可能である。
【０００５】
【発明実施の形態】
この目的のため先述のようにポインタ内部には残光発光用と必要に応じて参考用のレーザ投射装置を設け、反射型スクリーン上には残光発光する材料物質を適宜配設する。
【０００６】
【実施例】
本発明の基本は先述のごとくであるが、残光発光する材料物質の反射型スクリーン表面上への配設にはその特性用途に応じて印刷、塗布あるいは該スクリーン表面物質（例えばビーズ）への混入、また不要時に取り外せるように別途シートの貼着等がある。
【０００７】
【発明の効果】
以上説明したように、本発明によれば比較的簡易なシステムで投影画像上に光点や図形をポインタの指示や動きの軌跡に応じて残光として適宜発光させ、プレゼンテーションの質は格段に向上することが期待できる。
(57)【要約】【課題】ＩＣカードでは直接暗号化できない大きなファイルに電子署名を付けて伝送する。【解決手段】ＩＣカードが扱える範囲で出来るだけ長いパスワードをＩＣカードにより暗号化して電子署名を付けて伝送して受信確認メールを受け取る一方、別の伝送で長いパスワードを使って暗号化や暗号化圧縮をして、電子署名と一緒に送り受信確認を受信することにより、安全に大きなファイルを送信できることを特徴とする。【選択図】　図１
2004109956.tif 000002
【特許請求の範囲】
【請求項１】
従来、電子署名を付けることが難しいあるいは処理・通信時間が長すぎて実用的ではない大きなファイルに電子署名に対して、暗号化や暗号化圧縮ソフトと連動させることにより簡単な仕組みで安全なファイル転送方法。
【発明の詳細な説明】
【０００１】
【発明の属する技術分野】
【０００２】
本発明は、ＩＣカードなどを使った電子署名を直接暗号化が難しい大きなファイルに適用して電子署名にリンクしたファイルの安全な伝送方法に関する。
【従来の技術】
ＩＣカードなどを使った電子署名と暗号化は比較的小さなファイルのみにしか使えなかった。
【０００３】
【発明が解決しようとする課題】
例えば電子カルテのファイルなどは圧縮しても数十メガバイトもあり、安全といわれるＩＣカードを使った電子署名、暗号化による処理は無理とされていた。
【０００４】
【課題を解決するための手段】
ファイルを暗号化あるいは圧縮暗号化などの処理をした十分に長いパスワードに対してＩＣカードで暗号化して、電子署名を付けてオリジナルファイルのＩＤと一緒に伝送することにより、受信側では電子署名でセキュリティーを確保しながら受信できる。このファイルは受信後に電子署名と受信ログにより、いつ誰が送信したかを証明できるし、権限のある者が暗号や圧縮を解凍すれば安全に内容の確認も可能となる。
【０００５】
【発明の実施の形態】
少なくとも１枚のＩＣカードなどを使い、例えば１２８文字（１０２４ビット）、あるいは２５６文字（２０４８ビット）のパスワードについてＲＳＡなどを使って暗号化する。このデーターに内部に秘密鍵を持つＩＣカードなどで電子署名を付けて送ろうとするファイルのＩＤ番号と一緒にメールで送信する。受けては受信後に、送信者に対して受信の通知をメールで返信する。これとは別に、上記のパスワードを使って暗号化や圧縮暗号化などの処理をした比較的大きなファイルを同じ送信先にメールあるいは他の手段で送信する。これについても受信者は受信後に送信者に対して受信の通知をメールで返信することにより安全に誰が何を送ったかの証明が可能となる。
【０００６】
伝送手段は電子メールでなくとも、ＷＥＢサイトへのダウンロードなどの手段でも良い。
【０００７】
【実施例】
実施例について、図面を参照して説明すると、図１において、例えば１２８文字のパスワード２を使って大きなファイル３が暗号化あるいは圧縮され、暗号化（圧縮）されたファイル６になる。これとＩＣカード２で発行された電子署名ＤＳと一緒に送信ファイル７が作られる。一方、パスワード２はＩＣカード１に送られ、暗号化されて暗号化されたパスワード４が生成される。これとＩＣカード１から発行された電子書名ＤＳがメール５として送信される。受信側では、ＩＣカード１３を使って受信されたメール８からパスワード１０と電子署名１１が取り出される。別に受信した受信ファイル９からは電子署名１１と暗号化されたファイル１２が抽出される。この暗号化されたファイル１２は復号化されたパスワード１０を使って元の大きなファイル１４として復元される。
【図面の簡単な説明】
【図１】大きなファイルを暗号化するパスワードをＩＣカードで暗号化して電子署名を付けて伝送する例。
【符号の説明】
１　送信側のＩＣカード
２　１２８文字（１０２４ビット）のパスワード
３　大きなファイル（数メガバイトまたはそれ以上）
４　暗号化されたパスワード
５　電子署名と暗号化されたパスワードを含む電子メール
６　暗号化されたファイル
７　暗号化（圧縮）されたファイルと電子署名を付けた送信ファイル
８　暗号化されたパスワードと電子署名を含む受信メール
９　暗号化（圧縮）されたファイルと電子署名
１０　復号化されたパスワード
１１　送信された電子署名
１２　受信した暗号化ファイル
１３　受信側のＩＣカード
１４　復元された大きなファイル
【図１】
2004109956.tif 000003